【手続補正書】
【提出日】平成17年5月12日(2005.5.12)
【手続補正１】
【補正対象書類名】明細書
【補正対象項目名】発明の名称
【補正方法】変更
【補正の内容】
【発明の名称】情報リンク生成装置、記録媒体及び情報リンク生成方法
【手続補正２】
【補正対象書類名】明細書
【補正対象項目名】特許請求の範囲
【補正方法】変更
【補正の内容】
【特許請求の範囲】
【請求項１】
情報管理装置により互いにコミュニケーションをとって情報のやり取りを行うためのリンクを生成する情報リンク生成装置において、
前記情報管理装置間での情報の流れを示す有向パイプ情報を管理する有向パイプ管理手段と、
前記有向パイプ管理手段が管理する有向パイプ情報の集合から、要求に適する有向パイプ情報を検索する有向パイプ検索手段と、
前記有向パイプ検索手段により検索された複数の有向パイプ情報を合成して新たな有向パイプ情報を生成する有向パイプ合成手段と、
を有することを特徴とする情報リンク生成装置。
【請求項２】
有向パイプ情報は、前記情報が有する情報内容と、前記情報内容の流通量と、を有することを特徴とする請求項１記載の情報リンク生成装置。
【請求項３】
情報提供先の発見要求であるか、あるいは情報提供者の発見要求であるか、を示す要求の向きを判定する要求方向判定手段を有し、
前記有向パイプ検索手段は、前記要求の向きに合致する有向パイプ情報のみを検索し、
前記有向パイプ合成手段は、前記要求の向きに合致する有向パイプ情報のみを生成することを特徴とする請求項１記載の情報リンク生成装置。
【請求項４】
要求を入力する要求入力手段を有し、
前記要求入力手段、前記有向パイプ管理手段、前記有向パイプ検索手段及び前記有向パイプ合成手段は、前記情報管理装置ごとに備え付けられ、
前記有向パイプ管理手段は、自己が備え付けられている前記情報管理装置に関する有向パイプ情報のみを管理し、
前記有向パイプ検索手段は、自己が備え付けられている前記情報管理装置に備え付けられている前記要求入力手段から入力された要求に適する有向パイプ情報を検索し、自己が備え付けられている前記情報管理装置以外の情報管理装置に備え付けられている有向パイプ検索手段から送られる要求に適する有向パイプ情報を検索することを特徴とする請求項１記載の情報リンク生成装置。
【請求項５】
前記情報管理装置間のコミュニケーションを検出するコミュニケーション検出手段と、
前記コミュニケーションの方向を判断するコミュニケーション方向判定手段と、
前記コミュニケーション検出手段が検出したコミュニケーション内容及び前記コミュニケーション方向判定手段が判定したコミュニケーション方向に基づいて、有向パイプ情報を生成する有向パイプ生成手段と、
前記有向パイプ管理手段が管理する有向パイプ情報を、前記コミュニケーションの内容及び前記コミュニケーション方向に基づいて更新する有向パイプ更新手段と、
を有することを特徴とする請求項１記載の情報リンク生成装置。
【請求項６】
前記有向パイプ合成手段は、第１の情報管理装置から第２の情報管理装置への有向パイプ情報と、前記第２の情報管理装置から第３の情報管理装置への有向パイプ情報または前記第３の情報管理装置から前記第２の情報管理装置への有向パイプ情報と、第４の情報管理装置から前記第３の情報管理装置への有向パイプ情報とが与えられたときに、前記第１の情報管理装置から前記第２の情報管理装置への有向パイプ情報と、前記第４の情報管理装置から前記第３の情報管理装置への有向パイプ情報と、に共通する前記情報内容及び情報量を有する前記第１の情報管理装置から前記第３の情報管理装置への有向パイプ情報、を生成することを特徴とする請求項２記載の情報リンク生成装置。
【請求項７】
前記有向パイプ合成手段は、第１の情報管理装置から第２の情報管理装置への有向パイプ情報と、前記第２の情報管理装置から第３の情報管理装置への有向パイプ情報または前記第３の情報管理装置から前記第２の情報管理装置への有向パイプ情報と、前記第３の情報管理装置から第４の情報管理装置への有向パイプ情報とが与えられたとき、前記第１の情報管理装置から前記第２の情報管理装置への有向パイプ情報と、前記第３の情報管理装置から前記第４の情報管理装置への有向パイプ情報と、に共通する前記情報内容及び情報量を有する前記第１の情報管理装置から前記第４の情報管理装置への有向パイプ情報、を生成することを特徴とする請求項２記載の情報リンク生成装置。
【請求項８】
前記有向パイプ合成手段は、第１の情報管理装置から第２の情報管理装置への有向パイプ情報と、前記第２の情報管理装置から第３の情報管理装置への有向パイプ情報または前記第３の情報管理装置から前記第２の情報管理装置への有向パイプ情報と、前記第３の情報管理装置から第４の情報管理装置への有向パイプ情報とが与えられたとき、前記第１の情報管理装置から前記第２の情報管理装置への有向パイプ情報と、前記第３の情報管理装置から前記第４の情報管理装置への有向パイプ情報と、に共通する前記情報内容及び情報量を有する、第３の情報管理装置から第２の情報管理装置への有向パイプ情報、を生成することを特徴とする請求項２記載の情報リンク生成装置。
【請求項９】
コンピュータに、情報管理装置間での情報の流れを示す有向パイプ情報を管理させ、管理する有向パイプ情報の集合から要求に適する有向パイプ情報を検索させ、検索された複数の有向パイプ情報を合成して新たな有向パイプ情報を生成させる内容を有するプログラムを記録したコンピュータ読み取り可能な記録媒体。
【請求項１０】
コンピュータによって、情報管理装置により互いにコミュニケーションをとって情報のやり取りを行うためのリンクを生成する情報リンク生成方法において、
有向パイプ管理手段が、前記情報管理装置間での情報の流れを示す有向パイプ情報を管理し、
有向パイプ検索手段が、前記有向パイプ管理手段が管理する有向パイプ情報の集合から、要求に適する有向パイプ情報を検索し、
有向パイプ合成手段が、前記有向パイプ検索手段により検索された複数の有向パイプ情報を合成して新たな有向パイプ情報を生成する、
ことを特徴とする情報リンク生成方法。
【手続補正３】
【補正対象書類名】明細書
【補正対象項目名】０００１
【補正方法】変更
【補正の内容】
【０００１】
【発明の属する技術分野】
本発明は、複数の情報管理装置がネットワークを介在して存在する環境において、各情報管理装置が持つ情報内容に応じて各情報管理装置間に新たなリンクを生成する情報リンク生成装置に関し、特に情報管理装置間でやり取りされるコミュニケーションに基づいて生成したパイプ情報を利用する情報リンク生成装置、記録媒体及び情報リンク生成方法に関する。
【手続補正４】
【補正対象書類名】明細書
【補正対象項目名】００１０
【補正方法】変更
【補正の内容】
【００１０】
【課題を解決するための手段】
本発明では上記課題を解決するために、情報管理装置により互いにコミュニケーションをとって情報のやり取りを行うためのリンクを生成する情報リンク生成装置において、前記情報管理装置間での情報の流れを示す有向パイプ情報を管理する有向パイプ管理手段と、前記有向パイプ管理手段が管理する有向パイプ情報の集合から、要求に適する有向パイプ情報を検索する有向パイプ検索手段と、前記有向パイプ検索手段により検索された複数の有向パイプ情報を合成して新たな有向パイプ情報を生成する有向パイプ合成手段と、を有することを特徴とする情報リンク生成装置が提供される。